(57)【特許請求の範囲】
【請求項１】
ハウジングと、前記ハウジングの外部に操作部が位置し軸部が前記ハウジングの内部を延びる操作部材と、前記ハウジングの内部に収納され且つ前記操作部材によって操作されて電気的特性または状態が変わる１以上の電気部品機構と、前記１以上の電気部品機構に含まれる入出力用の複数の電極に電気的に接続されて前記ハウジングの外部に露出する接触端子部を有する複数の接続用端子部材とを備えた機構電気部品と、
回路基板上に載置されるソケット本体と、前記接続用端子部材の前記接触端子部と接触する接触端子部及び前記回路基板に設けられた半田付けランドに半田付け接続される半田付け端子部を有して前記ソケット本体に取付けられた複数の固定用端子部材と、前記ソケット本体に形成されて前記機構電気部品の前記ハウジングの少なくとも一部が挿入される部品挿入孔とを備えたソケットとを具備し、前記ソケットの前記部品挿入孔は、前記機構電気部品の前記ハウジングの一部が貫通する貫通孔によって形成され、
前記機構電気部品の前記ハウジングの一部が前記部品挿入孔及び前記回路基板の前記機構電気部品貫通孔に挿入された状態で、前記複数の接続用端子部材の前記接触端子部と前記複数の固定用端子部材の前記接触端子部どうしが接触するソケット装着型機構電気部品ユニットであって、
前記ハウジングは、前記操作部側に前記回路基板の表面と接触するフランジ部を備えた金属製のベース部材を備えており、
前記部品挿入孔及び前記回路基板に形成された前記機構電気部品貫通孔を通過可能でしかも前記回路基板の裏面と係合して前記ベース部材の前記フランジ部と前記回路基板を挟む複数の係合部材が前記ハウジングに設けられているソケット装着型機構電気部品ユニット。
【請求項２】
前記操作部材の前記軸部は導電性を有する材料により形成されており、
前記操作部材の軸部と前記ベース部材とが電気的に接続されている請求項１に記載のソケット装着型機構電気部品ユニット。
【請求項３】
前記ハウジングは、前記操作部材の回動に伴ってクリック感を発生するクリック発生機構を収納するケーシングと前記１以上の電気部品機構がそれぞれ収納されるケーシングとが組み合わされて構成され、
前記ベース部材は前記クリック感発生機構と該機構を収納する前記ケーシングの一部をそれぞれ構成し、
前記ベース部材には導電性を有するクリック用摺動片の接点部が摺動する凹凸面が形成されており、
前記クリック用摺動片は前記操作軸に嵌合された導電性を有するロータに電気的に接続された状態で取付けられていることを特徴とする請求項２に記載のソケット装着型機構電気部品ユニット。
【請求項４】
ハウジングと、前記ハウジングの外部に操作部が位置し軸部が前記ハウジングの内部を延びる操作部材と、前記ハウジングの内部に収納され且つ前記操作部材によって操作されて電気的特性または状態が変わる１以上の電気部品機構と、前記１以上の電気部品機構に含まれる入出力用の複数の電極に電気的に接続されて前記ハウジングの外部に露出する接触端子部を有する複数の接続用端子部材とを備え、回路基板に取付けられたソケットの部品挿入孔に嵌合される機構電気部品であって、
前記ハウジングは、前記１以上の電気部品機構が収納される第１のハウジング部分と、前記第１のハウジング部分の下に配置されて前記操作部材に付勢力を付与する付勢力発生機構が収納される第２のハウジング部分とからなり、
前記第１のハウジング部分は、前記操作部側に前記回路基板の表面と接触するフランジ部を備えた金属製のベース部材を備えており、
前記部品挿入孔及び前記回路基板に形成された機構電気部品貫通孔を通過可能でしかも前記回路基板の裏面と係合して前記ベース部材の前記フランジ部と前記回路基板を挟む複数の係合部材が前記第１のハウジング部分に設けられている機構電気部品。
【発明の詳細な説明】
【０００１】
【発明の属する技術分野】
本発明は、回路基板に半田付け接続されるソケットとこのソケットに装着される電気部品本体とらなるソケット装着型機構電気部品ユニットに関するものである。
【０００２】
【従来の技術】
従来から、回路基板に電子部品を半田付けにより実装する場合に、ウエーブソルダー（Ｗａｖｅ  Ｓｏｌｄｅｒｉｎｇ）法を用いて半田付けを自動化する技術（以下、「自動半田」と記す）が広く用いられている。しかしながら耐熱性に劣る半導体素子等の電子部品や、回路基板の裏面側に突出する機械的構造を有する機構電気部品は、溶融半田の熱の影響を受けるため、回路基板に自動半田することができない。そこで従来は、溶融半田の熱の影響を受けない電子部品を回路基板に自動半田によって半田付けした後に、前述の熱の影響半を受ける電子部品及び電気部品を手作業による半田付け（以下、「手半田」と記す）で回路基板に実装している。またＬＳ１（ｌａｒｇｅ  ｓｃａｌｅ  ｉｎｔｅｇｒａｔｉｏｎ）等の高価な半導体素子や交換頻度の高いリレーなどの実装については、専用のソケットを回路基板に自動半田により実装し、その後工程で電気部品本体をソケットに装着することも行われている。
【０００３】
【発明が解決しようとする課題】
しかしながら、回路基板の裏面側に突出する機械的構造を有する機構電気部品［例えば、スイッチや定数可変素子（ｖａｒｉａｂｌｅ  ｒｅｓｉｓｔｏｒ  ｖａｒｉａｂｌｅ  ｃａｐａｃｉｔｏｒ等）］については、自動半田工程後に半田付けを行わずに回路基板へ装着できるものが従来なかった。そのためこれらの部品については、手半田で回路基板に実装しているのが実情である。
【０００４】
実公平６−３３６２１号公報、特公平７−８５４４２号公報、特公昭６０−５２５６３号公報には、回路基板の表面に実装する従来の機構電気部品が開示されている。これらのの公報に記載の機構電気部品では、回路基板の裏面側に機構電気部品の一部を突出させることができない。
【０００５】
本発明の目的は、回路基板の裏面側に機構電気部品が突出する場合でも、ソケットを用いて機構電気部品を回路基板に実装することができ、しかもソケットに機構電気部品を装着する際や操作部材に操作力が加わったときに、ソケットに大きな力が加わらず、ソケット本体にクラックが入ったり、半田付部に無理な力が加わることのないソケット装着型機構電気部品ユニット及び機構電気部品を提供することにある。
【０００６】
本発明の他の目的は、操作部材を通して静電気が内部の電気部品機構にまで入り込むことのないソケット装着型機構電気部品ユニットを提供することにある。
【０００７】
本発明の更に他の目的は、クリック感発生機構の一部を利用して、ソケットに機構電気部品を装着する際や操作部材に操作力が加わったときにソケットに大きな力が加わらず、また操作部材を通して静電気が内部の電気部品機構にまで入り込むのを阻止することができるソケット装着型機構電気部品ユニットを提供することにある。
【０００８】
【課題を解決するための手段】
本発明のソケット装着型電気部品ユニットは、機構電気部品とソケットとを有する。機構電気部品は、操作部材と、操作部材によって操作されて電気的特性または状態が変わる１以上の電気部品機構と、１以上の電気部品機構に含まれる入出力用の複数の電極に電気的に接続されて外部に露出する接触端子部を有する複数の接続用端子部材とを備えている。
【０００９】
ここで１以上の電気部品機構には、例えば操作部材の操作軸に摺動子が固定された可変抵抗器機構及び操作軸に可動接点が固定された回転型スイッチ機構や、可変コンデンサ機構等が含まれる。また機構電気部品は、前述の電気部品機構の他に、クリック発生機構や、操作部材の支持機構や操作部材の操作軸に付与する付勢力発生機構等を含むものである。
【００１０】
更に機構電気部品は、１以上の電気部品機構等がハウジングに収納された構成を有している。この場合のハウジングは、１つでもよいが複数のハウジング部分で構成されていてもよい。例えば、このハウジングは、１以上の電気部品機構が収納される第１のハウジング部分と、第１のハウジング部分の下に配置されて操作部材に付勢力を付与する付勢力発生機構が収納される第２のハウジング部分とから構成することができる。また１つのハウジング部分が複数のケーシングの組み合わせにより構成されてもよい。例えば、１つのハウジング部分を、操作部材の回動に伴ってクリック感を発生するクリック発生機構を収納するケーシングと、１以上の電気部品機構がそれぞれ収納される１以上のケーシングとを組み合わせて構成することができる。
【００１１】
ソケットは、回路基板上に載置されるソケット本体と、接続用端子部材の接触端子部と接触する接触端子部及び回路基板に設けられた半田付けランドに半田付け接続される半田付け端子部を有してソケット本体に取付けられた複数の固定用端子部材と、ソケット本体に形成されて機構電気部品のケーシングの少なくとも一部が挿入される部品挿入孔とを備えている。
【００１２】
そして機構電気部品がソケットの部品挿入孔に嵌合された状態で、複数の接続用端子部材の接触端子部と複数の固定用端子部材の接触端子部どうしが接触して、電気部品とソケットとが電気的に接続される。なお回路基板に、ソケットに設ける部品挿入孔に対応して機構電機部品貫通孔を形成しておく必要があるのは勿論である。
【００１３】
本発明においては、ソケットの部品挿入孔を、機構電気部品（具体的にはハウジング）の一部が貫通する貫通孔によって形成する。このようにすると機構電気部品がこの貫通孔に嵌合された状態で、機構電気部品の一部が貫通孔を通って突出する。その結果、ソケットを利用して回路基板の裏面側に一部が突出する機構電気部品を回路基板に実装することができる。
【００１４】
本発明では、操作部側に回路基板の表面と接触するフランジ部を備えた金属製のベース部材をハウジングに設ける。そしてソケットの部品挿入孔及び回路基板に形成された機構電気部品貫通孔を通過可能でしかも回路基板の裏面と係合してベース部材の複数のフランジ部と回路基板を挟む複数の係合部材をハウジングから突出するようにハウジングに設ける。このようにすると、回路基板をベース部材のフランジ部と係合部材とにより挟んだ状態で、機構電気部品を回路基板に対して固定することができる。その結果、機構電気部品をソケットで完全に支持する必要がなくなって、ソケットの厚みを薄くすることができる。そして機構電気部品をソケットに挿入する際及び操作部材に外部から操作力が加わった場合でも、機構電気部品を通してソケット及びソケットの半田付け部に無理な力が加わることがなくなる。その結果、ソケットにクラックが入ったり、半田付け部に接続不良が発生することがなくなる。
【００１５】
操作部材の軸部が導電性を有する材料により形成されている場合には、操作部材の軸部とベース部材とを電気的に接続する。このようにすると操作部材の軸部通して電気部品機構に入り込もうとする静電気を、ベース部材を介して回路基板のアースに逃がすことができる。この場合には、回路基板の表面に、ベース部材のフランジ部と接触するアース電極を形成しておく必要があるのは勿論である。特に、ベース部材を電気部品機構よりも操作部材の操作部側に配置すると、静電気が電気部品機構に入り込むのを絶対に防止できる。
【００１６】
ベース部材は、回路基板を挟持する目的と導電路として用いる目的のために、金属により形成するのが最適である。金属は、合成樹脂に比べて耐磨耗性に優れているものが多いから、クリック感発生機構を設ける場合に、このベース部材をその一部として利用してもよい。具体的には、導電性を有するクリック用摺動片の接点部が摺動する凹凸面をベース部材の表面に形成する。ベース部材の表面に凹凸面を形成すると、凹凸面の磨耗を抑制できて、長期間にわたって良好なクリック感を得ることができる。そしてこの場合には、クリック用摺動片を操作軸に嵌合された導電性を有するロータに電気的に接続されるように取付ける。このようにすると、軸部を流れる静電気は、この回転ボスからクリック用摺動片を通ってベース部材へと流れる。
【００１７】
【発明の実施の形態】
図１は、本発明のソケット装着型機構電気部品ユニット１の実施の形態の一例を回路基板３に装着する場合の分解斜視図を示している。また図２は、２つのソケット装着型機構電気部品ユニット１，１を回路基板３に実装した状態の斜視図を示している。これらの図において、５は機構電気部品であり、７はソケットである。
【００１８】
最初に、図１、図３及び図４を用いて、機構電気部品５の構成について説明する。機構電気部品５は、１以上の電気部品機構が収納される第１のハウジング部分９と操作部材１５に付勢力を付与する付勢力発生機構が収納される第２のハウジング部分１１とからなるハウジング１３を有している。図３に示すように、第１のハウジング部分は、第１〜第３のケーシング１７，１９及び２１が組み合わされて構成されている。第１のケーシング１７には、操作部材１５の回動に伴ってクリック感を発生するクリック発生機構が収納され、第２のケーシング１９には、操作部材１５の操作軸１５ａに摺動子が固定された可変抵抗器機構が収納され、第３のケーシング２１には操作軸１５ａに可動接点が固定された回転型スイッチ機構が収納されている。なお操作部材１５は、金属棒を機械加工して操作軸１５ａと操作つまみ１５ｂとを形成したものであり、導電性を有している。後に詳しく説明するが、この操作部材１５は、軸線方向に往復移動し、しかも軸線を中心にして回動する。この動作を許容するために、操作軸１５ｂの断面形状は非変形形状になっている。
【００１９】
第１のケーシング１７は、絶縁樹脂製のケース本体２３と、アルミダイキャスト製の導電性を有するベース部材２５とから構成される。ベース部材２５は回路基板３の表面に形成されたアース電極Ｅ１と接触する一対のフランジ部２５ａを一体に有している。フランジ部２５ａには、それぞれ外側に突出する凸部２５ｂが一体に設けられている。ベース部材２５の一対のフランジ部２５ａが突出する側に位置する一対の側壁２５ｃを露出させた状態で、ベース部材２５がケース本体２３に嵌合されている。ベース部材２５の外壁面２５ｄ上（操作部材１５の操作つまみ１５ｂ側の面上）には、絶縁樹脂製の絶縁プレート２７が載置されている。絶縁プレート２７は、ベース部材２５の外壁面２５ｄを全体的に覆う形状を有している。絶縁プレート２７には、後に説明する接続用端子部材３９及び４５の接触端子部３９ａ及び４５ａの先端部を収容する凹部２７ｂ及び２７ｃが形成されており、またベース部材２５のフランジ部２５ａに設けた凸部２５ｂを覆う凸部２７ｄが形成されている。また絶縁プレート２７の表面部には、後に説明するハトメからなる連結ピン５７の頭部を収容する２つの凹部２７ｆが形成されている。
【００２０】
ベース部材２５の内壁面２５ｅ上には、導電性を有するクリック用摺動片２９の接点部が摺動する凹凸面が形成されている。またベース部材２５のほぼ中央部には、操作軸１５ａが貫通する貫通孔２５ｆが形成されている。クリック用摺動片２９は、金属製の導電性を有するロータ３１に取付けられている。クリック用摺動片２９とロータ３１とは電気的に接続されている。ロータ３１は、操作軸１５ａが貫通する軸部３１ａと摺動片２９が取付けられる板状部３１ｂとから構成される。操作軸１５ａは、軸部３１ａ内を軸線方向に移動できるが、軸部３１ａの内部では回転できない。軸部３１ａは、絶縁プレート２７に形成された貫通孔２７ａに回転自在に嵌合されている。そして板状部３１ｂには、ケース本体２３の底壁２３ａの内壁部に設けられた凸部２３ｂと係合して、ロータ３１の回転範囲を予め定めた範囲内に規制するストッパ部が設けられている。操作軸１５ａは、ケース本体２３の底壁２３ａを軸線方向に移動可能に且つ回転可能に貫通している。上記部材２３〜３１によってクリック発生ブロックＣＢが構成されている。
【００２１】
操作部材１５の操作軸１５ａを通して第１のケーシング１７内に入った静電気は、操作軸１５ａ、ロータ３１、摺動子２９及びベース部材２５の経路を通って回路基板３のアース電極Ｅ１へと流れる。これにより第２のケーシング１９及び第３のケーシング２１に収納されている電気部品機構に静電気が流れるのが防止される。
【００２２】
可変抵抗機構が収納される第２のケーシング１９は、回路基板３３と、絶縁樹脂製の筒体３５と、金属製の金具部材３７の板状部３７ａとから構成される。回路基板３３の裏面（ケーシング１９の内部に向かう面）には、可変抵抗体パターンが印刷によって形成されている。この回路基板３３の裏面上には、入出力用の複数の電極が形成され、この電極には３本の接続用端子部材３９の一端が半田付け接続されている。３本の接続用端子部材３９は、第１のケーシング１７のケース本体２３の表面に沿って上に延びている。第１のハウンジング部分９の外部に露出している３本の接続用端子部材３９の部分が、それぞれ接触端子部３９ａを構成している。接触端子部３９ａの先端は、絶縁プレート２７に設けられた凹部２７ｂの内部で終端している。第２のケーシング１９の内部には、摺動子４１が取付けられる絶縁樹脂製のロータ４３が配置されている。操作軸１５ａは、ロータ４３を軸線方向に移動可能に貫通しているが、ロータ４３の内部では回転できない。したがってロータ４３は操作軸１５ａと一緒に回転する。また操作軸１５ａは、回路基板３３を軸線方向に移動可能に且つ回転可能に貫通している。このロータ４３は回路基板３３と板状部３７ａとの間に挟まれている。
【００２３】
金具部材３７には、図１及び図４に示す４本の係合部材３７ｂ…が一体に設けられている。金属部材３７の板状部３７ａは輪郭形状が矩形状を呈しており、前述の３本の接続用端子部材３９と対応しない一対の対向辺からそれぞれ２本の係合部材３７ｂ…が延び出ている。係合部材３７ｂ…は、バネ性を持つように曲げ加工される。係合部材３７ｂ…の形状は、第１のハウジング部分９が回路基板３に設けた機構電気部品貫通孔Ｈに挿入されるときに、貫通孔Ｈを通過した後回路基板３の裏面と係合してベース部材２５のフランジ部２５ａと回路基板３を比較的しっかりと挟むことができるように定められている。具体的には、係合部材３７ｂは、第１のハウジング部分９の外面に沿って延びる第１の部分３７ｃと、この第１の部分３７ｃから外側方向（ハウジング部分９の外面から離れる方向）に向かって曲がる第２の部分３７ｄと、第２の部分３７ｄから内側方向（ハウジング部分９の外面に近付く方向）に曲がる第３の部分３７ｅとを有している。この第３の部分３７ｅの表面が回路基板３の裏面と接触する。なお第２のケーシング１９と可変抵抗器機構とにより、可変抵抗ブロックＶＢが構成されている。
【００２４】
図３に示されるように、内部に回転型スイッチ機構が収納される第３のケーシング２１は、２本の接続用端子部材４５がインサート成形された絶縁樹脂製の絶縁ベース４７と、この絶縁ベース４７によって一端が塞がれる絶縁樹脂製の筒部４９と、この筒部４９の他端を塞ぐ絶縁樹脂製の板状部材５１とから構成される。絶縁ベース４７の上には、スイッチの固定接点が配置され、操作軸１５ａに取付けられ絶縁樹脂製のロータ５３にはスイッチの可動接点５５が固定されている。２本の接続用端子部材４５の一端は、絶縁ベース４７の上に配置された固定接点にそれぞれ接続されている。２本の接続用端子部材４５の第１のハウジング部分９の外面に沿って上方に延びる部分が、接触端子部４５ａを構成している。接触端子部４５ａの先端は絶縁プレート２７の凹部２７ｃの内部で終端している。操作軸１５ａはロータ５３を軸線方向に移動自在に貫通しているが、操作軸１５ａはロータ５３の内部では回転しない。したがって操作軸１５ａと一緒にロータ５３は回転する。ロータ５３がある角度範囲を回転することにより、この回転型スイッチ機構はオン状態またはオフ状態となる。ロータ５３の軸部５３ａは、絶縁ベース４７に回転自在に嵌合されている。なお第３のケーシング２１と内部の回転型スイッチ機構とによって、スイッチブロックＳＢが構成されている。
【００２５】
第３のケーシング２１の一部を構成する板状部材５１の下（即ち第１のハウジング部分９の下）には、第２のハウジング部分１１が取付けられている。
【００２６】
第２のハウジング部分１１は、一端が開口する有底の円筒部１１ａとこの円筒部の開口部に一体に設けられたフランジ部１１ｂとを有している。そしてフランジ部１１ｂが、前述の板状部材５１と接触している。第１のハウジング部分９を構成する各部材と第２のハウジング部分１１のフランジ１１ｂとは、４本の連結ピン５７（図１及び図４）によって連結されている。４本の連結ピン５７のうち、２本の連結ピン５７は頭部が絶縁プレート２７側に位置し、残りの２本の連結ピン５７は頭部がフランジ部１１ｂ側に位置する。
【００２７】
第２のハウジング部分１１の内部に収容される操作部材１５に付勢力を付与する付勢力発生機構の構造は、実公平６−３３６２１号公報、特公平７−８５４４２号公報、特公平６０−５２５６３号公報等に示された公知の構造である。この付勢力発生機構は、操作部材１５の操作つまみ１５ｂが図１の実線で示した第１の位置から想像線で示した第２の位置に移動させる付勢力を発生する。付勢力発生機構は、付勢力を発生するバネ部材と、操作軸と係合するロックするロック機構とを含んでいる。バネ部材は、操作つまみ１５ｂが第２の位置から第１の位置に押し下げられると蓄勢される。ロック機構は、操作つまみ１５ｂが第２の位置から第１の位置に押し下げられると操作軸１５ａと係合して、操作つまみ１５ｂを第１の位置に保持する。第１の位置にある操作つまみ１５ｂが第１の位置から更に下に押し下げられると、ロック機構の係合が解除され、蓄勢されたバネ部材の付勢力で操作部材１５が押し上げられて、操作つまみ１５ｂは第２の位置に移動する。操作部材１５は、操作つまみ１５ｂが第１の位置及び第２の位置のいずれの位置にあっても回転可能である。したがって操作つまみ１５ｂが第１の位置及び第２の位置のいずれの位置にあっても、可変抵抗の調整が可能であり、またスイッチのオン・オフが可能である。そして操作つまみ１５ｂを回転させると、クリック感発生機構からは連続的にクリック感が発生する。なお第２のハウジング部分１１とその内部の機構とによって、付勢力発生ブロックＢＢが構成されている。
【００２８】
この機構電気部品５の電気回路は、図５に示す通りである。操作つまみ１５ｂの回転に伴って、スイッチブロックＳＢ内の接点が開閉し、同時に可変抵抗ブロックＶＲＢ内で抵抗体Ｒの上を摺動子４１が摺動して抵抗値が調整される。この例のの動きは、電気的動作とは無関係である。図６に示すように、操作部材１５を軸線方向に動かすための機構は、操作つまみ１５ｂを操作パネル５９の表面より下に収納する目的で使用される。図６に示すように、係合部材３７ｂは、回路基板３の裏面に接触している。
【００２９】
図１及び図７に示されるように、ソケット７は、回路基板３上に載置される絶縁樹脂製のソケット本体６１と、ソケット本体６１に取付けられた３つの固定用端子部材６３と２つの固定用端子部材６５…とを有している。固定用端子部材６３…及び６５…は、機構電気部品５の接続用端子部材３９…及び４５…の接触端子部３９ａ…及び４５ａ…と接触する接触端子部６３ａ…及び６５ａ…と、回路基板３に設けられた複数の端子挿入用の貫通孔ＴＨ１…に挿入されて回路基板３の裏面に設けられた図示しない半田付けランドに半田付け接続される半田付け端子部６３ｂ…及び６５ｂ…を有している。ソケット本体６１は、機構電気部品５のハウジング１３が挿入される貫通孔からなる部品挿入孔６７を有しており、その輪郭形状が矩形状を呈している。また部品挿入孔６７には、機構電気部品５のベース部材２５の凸部２５ｂ及び絶縁プレート２７の凸部２７ｄがそれぞれ嵌合される凹部６７ａも形成されている。凸部２５ａ及び２７ｄ及び凹部６７ａは、中央からずれて形成されているため、機構電気部品５が誤った向きでソケット７に挿入されるのが防止される。部品挿入孔６７は、機構電気部品５のベース部材２５が完全に嵌合される形状を有している。したがって機構電気部品５がソケット７に挿入された状態では、ベース部材２５のフランジ部２５ａが回路基板３の表面と接触する。
【００３０】
固定用端子部材６３…及び６５…には、接触端子部６３ａ…及び６５ａ…に隣接した位置に貫通孔６３ｃ…及び６５ｃ…が形成されている。絶縁樹脂製の取付片６９及び７１の裏面に、長手方向に所定の間隔をあけて一体に設けられた３つの突起６９ａ…及び２つの７１ａ…に、固定用端子部材６３…及び６５…の貫通孔６３ｃ…及び６５ｃ…嵌合する。そして固定用端子部材６３…及び６５…を備えた取付片６９及び７１を、ソケット本体６１の一対の枠骨部に設けた端子取付用凹部６１ａ及び６１ｂに溶着する。このようにして固定用端子部材６３…及び６５…は、ソケット本体６１に固定されている。なおインサート成形によって、固定用端子部材６３…及び６５…をソケット本体６１に固定してもよいのは勿論である。
【００３１】
固定用端子部材６３…及び６５…の接触端子部６３ａ及び６５ａは、部品挿入孔６７に臨むように配置されており、その少なくとも一部は部品挿入孔６７の内部に位置している。別の見方をすると、部品挿入孔６７の周囲を囲むソケット本体６１の４つの内壁面のうち対向する２つの内壁面に沿って接触端子部６３ａ及び６５ａが配置されている。
【００３２】
またソケット本体６１の裏面（回路基板３の表面と接触する面）には、回路基板３に設けられた２つの突起挿入用の貫通孔ＴＨ２…に嵌合される２つの円柱状の突起７３，７３が設けられている。貫通孔ＴＨ２と突起７３の形状は、ソケット本体６１が回路基板３の面方向に動くのを阻止するように定められている。２つの突起７３，７３は、ソケット本体６１の対角線上に位置する一対の角部に一体に設けられている。これらの突起７３，７３はソケット７を回路基板３に対して正確に位置決めする目的で設けられている。なお突起７３，７３をソケット本体６１の対角線上に位置する一対の角部に配置すると、少ない数の突起で正確に位置決めができる。固定用端子部材６３…及び６５…を貫通孔ＴＨ１…に挿入することによりソケット７をのラフに位置決めすることもできる。しかしながら突起７３，７３を設けない場合には、ソケット７に力が加わったときに、固定用端子部材６３…及び６５…と回路基板３の半田付けランドとの半田付け部に大きな力が加わることになって、半田付け部で接続不良が発生する。
【００３３】
またソケット本体６１の固定用端子部材６３…及び６５…が取付けられない一対の枠骨部の下面には、２つのフック７５，７５が対向するように配置されている。なお図１には、１つのフック７５しか示されていない。２つのフック７５，７５は、回路基板３に設けられた機構電気部品貫通孔Ｈと連続して設けられた２つの係合用孔部ＴＨ３の周縁部分と係合してソケット７の抜け止めを図る係合部７５ａを有している。２つのフック７５が、ソケット本体６１の対向する一対の枠骨部の中央から外れた位置に設けられているため、ソケット７の向きを誤ってソケットが回路基板３に装着されることを防止できる。これらのフック７５，７５は、半田付け工程において、ソケット７が回路基板３から浮き上がるのを阻止する。前述の突起７３をフック構造にすることも考えられるが、突起７３を構造にすると、貫通孔ＴＨ２の径寸法を大きくしなければならず、突起７３と貫通孔ＴＨ２との間のギャップが大きくなって、位置決め精度が悪くなる。
【００３４】
ソケット７には、機構電気部品５が部品挿入孔６７に挿入されるまで、部品挿入孔を通って半田付け用フラックスが固定用端子部材６３…及び６５…の接触端子部６３ａ…及び６５ａ…の表面に沿って流れるのを抑制し、機構電気部品５が挿入されたときに機構電気部品５によって押し開かれる遮蔽部材を構成する２枚の扉状部材７７，７９が設けられている。２枚の扉状部材７７，７９は、ソケット本体６１との連結基部において、機構電気部品５によって押されて部品挿入孔６７から離れるように折り曲がる。２枚の扉状部材７７，７９は、接触端子部６３ａ…及び６５ａ…に向かって半田付け用フラックスが直接流れるのを阻止する必要から、接触端子部６３ａ…及び６５ａ…よりも下の位置（回路基板３側）に配置されている。具体的には、接触端子部６３ａ…及び６５ａ…が並ぶ部品挿入孔６７を囲む２つの内壁面の下部領域に２枚の扉状部材７７，７９の一端が一体に固定されている。実際上は、ソケット本体６１の下面（回路基板３と接触する面）と面一になるように、２枚の扉状部材７７，７９がソケット本体６１と一体成形されている。２枚の扉状部材７７，７９の非固定側端部は、破断容易な連結部８１により相互に連結されている。この連結部８１は、扉状部材７７，７９と一緒に一体成形される。２枚の扉状部材７７，７９は、機構電気部品５により部品挿入孔６７から離れる方向に押し開かれたときに、ソケット本体７から離脱しないようにソケット本体に連結されているのが好ましい。このようにすると脱落した扉状部材７７，７９を回収する作業が不要になる。脱落し難い扉状部材７７，７９を形成するには、ソケット本体６１をポリアミド系樹脂などの屈折しても割れにくい樹脂で形成する。なお遮蔽部材を構成する２枚の扉状部材７７，７９は、機構電気部品５の係合部材３７ｂ…が回路基板３の裏面と接触するのを阻害しない位置に固定する必要がある。
【００３５】
次にソケット７を回路基板３に実装する場合について説明する。ソケット７の固定用端子部材６３…及び６５…の半田付け端子部６３ｂ…及び６５ｂを回路基板３の貫通孔ＴＨ１…に挿入し、突起７３を貫通孔ＴＨ２に挿入し、フック７５…を係合用孔部ＴＨ３に挿入する。図８は、ソケット７を回路基板３に装着した状態で、ウエーブソルダー（Ｗａｖｅ  Ｓｏｌｄｅｒｉｎｇ）法により半田付けを行う際の状態を概略的に示している。フック７５…が係合用孔部ＴＨ３の周縁部（回路基板３の裏面）と係合しているため、回路基板３の裏面にフラックスまたは溶融半田Ｗの噴流を浴びせても、ソケット７が浮き上がることはない。フラックスの噴流を回路基板３の裏面に浴びせた後、溶融半田の噴流を回路基板３の裏面に浴びせると、回路基板３の裏面に突出する半田付け端子部６３ｂ…及び６５ｂと半田付けランドとに溶融半田が付着する。回路基板３の裏面上には、半田付けランドを除いて絶縁樹脂膜からなる半田レジスト層が形成されている。
【００３６】
この例では、ソケット本体６１の部品挿入孔６７の下側開口部が、２枚の扉状部材７７及び７９によって遮蔽または閉塞されている。特に２枚の扉状部材７７及び７９は、固定用端子部材６３…及び６５…の接触端子部６３ａ…及び６５ａ…の下側でソケット本体６１に連続して連結されている。そのためフラックスまたは溶融半田Ｗが、直接的に接触端子部６３ａ…及び６５ａ…に付着するのが防止される。２枚の扉状部材７７及び７９は、フラックスまたは溶融半田Ｗが、直接的に接触端子部６３ａ…及び６５ａ…に付着するのを抑制できればよく、部品挿入孔６７の下側開口部を完全に塞ぐ必要はない。
【００３７】
ソケット７を回路基板３に実装した後、機構電気部品５のハウジング１３をソケット７の部品挿入孔６７に挿入する。２枚の扉状部材７７及び７９を連結する連結部８１が、第１のハウジング部分１１の挿入によって切断される。更に機構電気部品５が挿入されると、２枚の扉状部材７７及び７９は、ハウジング１３の外面に沿って部品挿入孔６７から離れる方向（回路基板３に設けた機構電気部品貫通孔Ｈ内に入る方向）に開かれる（または折り曲げられる）。機構電気部品５が部品挿入孔６７及び機構電気部品貫通孔Ｈ内に挿入されている過程で、機構電気部品５の係合部材３７ｂ…は第１のハウジング部分９の表面に近付くように変形しながら部品挿入孔６８の内壁面及び機構電気部品貫通孔Ｈの内壁面上を摺動する。係合部材３７ｂ…が回路基板３の裏面側に出ると、係合部材３７ｂ…は第１のハウジング部分９から離れる方向に広がり、係合部材３７ｂ…の第３の部分３７ｅは回路基板３の裏面と接触する。この状態で、機構電気部品５のベース部材２５のフランジ部２５ａが回路基板３の表面と接触し、係合部材３７ｂ…とフランジ部２５ａとにより回路基板３が挟持される。機構電気部品５のベース部材２５及び絶縁プレート２７が、部品挿入孔６７に嵌合された状態で、接続用端子部材３９及び４５の接触端子部３９ａ及び４５ａと固定用端子部材６３及び６５の接触端子部６３ａ及び６５ａどうしが接触して、機構電気部品５とソケット７とが電気的に接続される。
【００３８】
図６に示すように、本発明の機構電気部品ユニット１を用いると、回路基板３の裏面側に機構電気部品５の一部を突出させ、しかも回路基板３の表面と直交する方向に操作部材１５が延びる姿勢で、機構電気部品５を回路基板３に対して取付けることができる。そのため回路基板３を操作パネル５９とほぼ平行に固定した場合に、回路基板３と操作パネル５９との間の寸法を短くできる。特に、上記例のように操作部材１５第１の位置と第２の位置との間を変位する場合には、操作部材１５の操作つまみ１５ｂの変位寸法まで、回路基板３と操作パネル５９との間の寸法を短くできる。したがって、電気機器の内部空間を有効に利用することができる。また回路基板３に発光ダイオード等のディスプレイ素子８３を機構電気部品５と並設することができる。機構電気部品５を、操作パネル５９と平行に固定された回路基板３に立設すると、ゴム等から形成された光漏れ防止材８５を、機構電気部品の絶縁プレート２７と操作パネル５９に一体に設けた筒部５９ａとの間に容易に介在させることができる。
【００３９】
図９は、上記例の機構電気部品５を接続用端子部材４５側か見た図であるが、この機構電気部品は、クリック機構発生ブロックＣＢと可変抵抗ブロックＶＲＢとスイッチブロックＳＢと付勢力発生ブロックＢＢとを連結ピン等の連結部材で連結して一体化している。例えば、図１０に示すように、図９に示す構造からスイッチブロックＳＢを外し、操作部材１５´の操作軸を短くするこのことにより単なる可変抵抗器からなる機構電気部品５´を構成することもできる。また図１０に示すように、機構電気部品５´の絶縁プレート２７の上に予め光漏れ防止材８５を装着しておいてもよい。
【００４０】
上記の例では、ソケット本体６１の対向する２つの枠骨部に固定用端子部材６３…及び６５…を配置しているため、２枚の扉状部材７７及び７９を設けて、固定用端子部材６３…及び６５…の接触端子部６３ａ…及び６５ａ…にフラックスまたは半田が付着しないようにしている。しかしながら図１１に示すように主要な固定用用端子部材８７…をソケット本体６１´の１つの枠骨部に沿って配置する場合には、固定用端子部材８７…の接触端子部８７ａ…の下側に１枚の扉状部材９１を配置するだけでもよい。なお図１１の例では、固定用端子部材８７…と対向する枠骨部に１個のアース端子を構成する固定用端子部材８９が設けられているが、この端子部材の下には扉状部材を設けていない。このような場合には、ソケット７´を回路基板に実装した後に、端子部材８９の表面からフラックスまたは半田を削り落とす作業を行う。図１１に示したソケット７´は、図１０に示すような可変抵抗器からなる機構電気部品５´を回路基板に実装する場合に使用される。図１０に示した機構電気部品５´には端子部材８９と接触する接続用端子部材は積極的に設けられておらず、端子部材８９はベース部材２５のフランジ部２５ａと接触する。
【００４１】
以上は、本発明の実施例を示したものである。本発明は、例えばトグルスイッチ、プッシュスイッチ、ロータリースイッチ、バリアブルコンデンサ、可変抵抗器等の各種の機構の１つまたはこれらを２以上組み合わせた機構電気部品にも適用できる。
【００４２】
上記例では、ソケットに設けた固定用端子部材の接触端子部６３ａ…及び６５ａ…を部品挿入孔６７に臨ませて配置しているため、ソケット本体６１に扉状部材７７，７９を設けている。しかしながら、固定用端子部材の接触端子部をソケット本体の外周側に位置させる場合（固定用端子部材の接触端子部の少なくとも一部を部品挿入孔の内部に位置させない場合）等には、ソケット本体６１に扉状部材を設けなくてもよい。
【００４３】
また上記例では、操作部材１５，１５´が軸線方向に移動可能であるが、本発明は操作部材が軸線方向に移動しないものにも適用できる。
【００４４】
更に上記例では、遮蔽部材を構成する扉状部材をソケット本体から脱落しないように設けているが、扉状部材を機構電気部品がソケットに装着されたときに、ソケットから脱落するように設けてもよいのは勿論である。またケース本体と一体に設けられる扉状部材を用いずに、部品挿入孔の下側開口部に圧入され、機構電気部品によって押し出されるような遮蔽部材を用いることもできる。さらにソケット本体の裏面（回路基板側の面）に厚みの薄い合成樹脂シート（遮蔽部材）を部分的に溶着または接合しておき、部品挿入孔に挿入される機構電気部品によってこの合成樹脂シートを外すようにしてもよい。
【００４５】
また上記例では、係合部材３７ｂ…を備えた金具部材３７を別体で組み合わせているが、第１のケーシング１７のケース本体２３や、第３のケーシング２１の絶縁ベース４７または板状部材５１に係合部材２７ｂを備えた金具部材をインサート成形してもよい。
【００４６】
以下、本願明細書に記載した複数の発明の構成を記載する。
【００４７】
（１）  操作部材１５と、前記操作部材によって操作されて電気的特性または状態が変わる１以上の電気部品機構と、前記１以上の電気部品機構に含まれる入出力用の複数の電極に電気的に接続されて外部に露出する接触端子部を有する複数の接続用端子部材３９，４５とを備えた機構電気部品５と、
回路基板上に載置されるソケット本体６１と、前記接続用端子部材の前記接触端子部と接触する接触端子部及び前記回路基板に設けられた半田付けランドに半田付け接続される半田付け端子部を有して前記ソケット本体に取付けられた複数の固定用端子部材６３，６５と、前記ソケット本体６１に形成されて前記機構電気部品の少なくとも一部が挿入される部品挿入孔６７とを備えたソケッ７トとを具備し、
前記ソケット７の前記部品挿入孔６７は、前記機構電気部品の一部が貫通する貫通孔によって形成されており、
前記ソケットの前記ソケット本体には、前記回路基板に設けられた複数の貫通孔にそれぞれ嵌合されて、前記ソケットを前記回路基板に対して位置決めする複数の突起７３が設けられており、
前記機構電気部品５の一部が前記部品挿入孔６７及び前記回路基板に設けられた機構電気部品貫通孔Ｈに挿入された状態で、前記複数の接続用端子部材の前記接触端子部と前記複数の固定用端子部材の前記接触端子部どうしが接触するソケット装着型機構電気部品ユニット。
【００４８】
本発明の目的は、回路基板の裏面側に機構電気部品が突出する場合でも、ソケットを用いて機構電気部品を回路基板に実装することができるソケット装着型機構電気部品ユニットを提供することにある。
【００４９】
このような複数の突起７３を設けると、回路基板にソケット７を装着する場合の位置決めが容易になる。
【００５０】
（２）  前記ソケット本体の輪郭形状は矩形状を呈しており、前記ソケット本体６１の対角線上に位置する一対の角部には一対の前記突起７３が一体に設けられている上記（１）に記載のソケット装着型機構電気部品ユニット。
【００５１】
本発明の目的は、回路基板にソケットを正確に位置決めすることができるソケット装着型機構電気部品ユニットを提供することにある。このようにすると少ない数の突起により、ソケットを正確に位置決めすることができる。
【００５２】
（３）  前記ソケット本体６１には、前記回路基板３に設けられた１以上の係合用孔部ＴＨ３の周縁部分と係合して前記ソケット７の抜け止めを図る係合部を有する１以上のフック７５が一体に設けられている上記（１）または（２）に記載のソケット装着型機構電気部品ユニット。
【００５３】
位置決め用の前述の突起７３に、抜け止めを図る係合部を設けてもよいが、突起に係合部を設けると、位置決め精度が悪くなる。そこで位置決め用の突起とは別に、１以上の抜け止め用のフック７５を設けるのが好ましい。
【００５４】
（４）  前記機構電気部品５は、前記操作部材の回動に伴ってクリック感を発生するクリック感発生機構を更に含んでおり、前記クリック感発生機構及び前記１以上の電機部品機構はそれぞれ別のケーシング１７，１９，２１収納されており、これらのケーシングは連結手段５７を用いて相互に固定されている上記（１）に記載のソケット装着型機構電気部品ユニット。
【００５５】
本発明の目的は、機構電気部品の構成を簡単に変更することができて、しかもソケットを用いて機構電気部品を回路基板に実装することができるソケット装着型機構電気部品ユニットを提供することにある。
【００５６】
本発明によれば、クリック感発生機構と適宜の１以上の電気部品機構とを組み合わせて適宜の構成の機構電気部品を得ることができる。その結果、同じクリック発生機構を他の機構電気部品にも共用することができて、部品の共用化を図ることできる。
【００５７】
（５）  ハウジング１３と、前記ハウジングの外部に操作部１５ｂが位置し軸部１５ａが前記ハウジングの内部を延びる操作部材１５と、前記ハウジングの内部に収納され且つ前記操作部材によって操作されて電気的特性または状態が変わる１以上の電気部品機構と、前記１以上の電気部品機構に含まれる入出力用の複数の電極に電気的に接続されて前記ハウジング１３の外部に露出する接触端子部を有する複数の接続用端子部材３９，４５とを備えた機構電気部品５と、
回路基板上に載置されるソケット本体６１と、前記接続用端子部材の前記接触端子部と接触する接触端子部及び前記回路基板に設けられた半田付けランドに半田付け接続される半田付け端子部を有して前記ソケット本体に取付けられた複数の固定用端子部材６３，６５と、前記ソケット本体６１に形成されて前記機構電気部品の前記ハウジングの少なくとも一部が挿入される部品挿入孔とを備えたソケット７とを具備し、
前記ソケット７の前記部品挿入孔６７は、前記機構電気部品の前記ハウジングの一部が貫通する貫通孔によって形成され、
前記ソケットの前記ソケット本体には、前記回路基板に設けられた一対の貫通孔ＴＨ２にそれぞれ嵌合されて、前記ソケットを前記回路基板に対して位置決めする一対の突起７３が設けられており、
前記ソケット本体６１には、前記回路基板に設けた機構電気部品貫通孔Ｈと連続して設けられた１以上の係合用孔部ＴＨ３の周縁部分と係合して前記ソケットの抜け止めを図る係合部を有する１以上のフック７５が一体に設けられており、
前記機構電気部品の前記ハウジング１３の一部が前記部品挿入孔及び前記回路基板の前記機構電気部品貫通孔Ｈに挿入された状態で、前記複数の接続用端子部材の前記接触端子部と前記複数の固定用端子部材の前記接触端子部どうしが接触するソケット装着型機構電気部品ユニット。
【００５８】
（６）  前記ハウジングは、前記１以上の電気部品機構が収納される第１のハウジング部分）と、前記第１のハウジング部分の下に配置されて前記操作部材に付勢力を付与する付勢力発生機構が収納される第２のハウジング部分１１とからなり、
前記第１のハウジング部分９は、前記操作部材の回動に伴ってクリック感を発生するクリック発生機構を収納するケーシング１７と前記１以上の電気部品機構がそれぞれ収納されるケーシング１９，２３とが組み合わせれて構成され、これらのケーシング及び前記第２のハウジング部分は連結部材５７を用いて相互に固定されている上記（５）に記載のソケット装着型機構電気部品ユニット。
【００５９】
本発明の目的は、操作部材の位置を変位させるための付勢力を発生する付勢力発生機構を備え且つソケットを用いて機構電気部品を回路基板に実装することができるソケット装着型機構電気部品ユニットを提供することにある。
【００６０】
（７）  前記１以上の電気部品機構は、前記操作部材の前記操作軸に摺動子が固定された可変抵抗器機構及び前記操作軸に可動接点が固定された回転型スイッチ機構である上記（６）に記載のソケット装着型機構電気部品ユニット。
【００６１】
（８）  前記ハウジングは、前記操作部側に前記回路基板の表面と接触するフランジ部を備えた金属製のベース部材２５を備えており、
前記部品挿入孔６７及び前記回路基板３に形成された前記機構電気部品貫通孔Ｈを通過可能でしかも前記回路基板の裏面と係合して前記ベース部材の前記フランジ部２５ａと前記回路基板を挟む複数の係合部材３７ｂが前記ハウジング１３に設けられている上記（５）に記載のソケット装着型機構電気部品ユニット。
【００６２】
（９）  前記操作部材の前記軸部１５ａは導電性を有する材料により形成されており、
前記操作部材の軸部１５ａと前記ベース部材２５とが電気的に接続されている上記（８）に記載のソケット装着型機構電気部品ユニット。
【００６３】
（１０）  前記ベース部材２５は前記クリック感発生機構と該機構を収納する前記ケーシング１７の一部をそれぞれ構成し、
前記ベース部材２５には導電性を有するクリック用摺動片２９の接点部が摺動する凹凸面が形成されており、
前記クリック用摺動片２９は前記軸部１５ａに嵌合された導電性を有するロータ３１に電気的に接続された状態で取付けられていることを特徴とする上記（９）に記載のソケット装着型機構電気部品ユニット。
【００６４】
（１１）  ハウジングと、前記ハウジングの外部に操作部が位置し軸部が前記ハウジングの内部を延びる操作部材と、前記ハウジングの内部に収納され且つ前記操作部材によって操作されて電気的特性が変わる１以上の電気部品機構と、前記１以上の電気部品機構に含まれる入出力用の複数の電極に電気的に接続されて前記ハウジングの外部に露出する接触端子部を有する複数の接続用端子部材とを備えた機構電気部品と、
回路基板上に載置される絶縁樹脂製のソケット本体と、前記接続用端子部材の前記接触端子部と接触する接触端子部及び前記回路基板に設けられた半田付けランドに半田付け接続される半田付け端子部を有して前記ソケット本体に取付けられた複数の固定用端子部材と、前記ソケット本体に形成されて前記機構電気部品の前記ハウジングの少なくとも一部が挿入される部品挿入孔とを備え、
前記機構電気部品の前記ハウジングが前記部品挿入孔に嵌合された状態で、前記複数の接続用端子部材の前記接触端子部と前記複数の固定用端子部材の前記接触端子部どうしが接触し、
前記ソケットの前記部品挿入孔は、前記機構電気部品の前記ハウジングの一部が貫通する貫通孔によって形成され、
前記ソケット７には、前記機構電気部品５が前記部品挿入孔６７に挿入されるまで、前記部品挿入孔６７を通って半田付け用フラックスが前記複数の固定用端子部材の前記接触端子部６３ａ，６５ａの表面に沿って流れるのを抑制し、前記機構電気部品が挿入されたときに前記機構電気部品５によって押し開かれる遮蔽部材７７，７９が設けられていることを特徴とするソケット装着型機構電気部品ユニット。
【００６５】
本発明の目的は、ソケットを回路基板に半田付けする場合に、半田付け用フラックスが固定用端子部材の前記接触端子部の表面に沿って流れるのを抑制することができるソケット装着型機構電気部品ユニット及びこれに用いるソケットを提供することにある。
【００６６】
ソケットに形成する部品挿入孔を貫通孔により構成すると、自動半田でソケットを回路基板に半田付けする場合には、貫通孔の内部に半田付け用フラックスが流れこみ、ソケット本体に設けた複数の固定用端子部材の接触端子部の表面にフラックスが大量に付着する恐れがある。付着したフラックスは絶縁膜を形成するため、機構電気部品側の接続用端子部材の接触端子部との間の接触抵抗が大きくなってしまう不具合が生じる。半田付け後に、固定用端子部材の接触端子部の表面を研磨処理してもよいが、このような処理を行うことは作業工程を増加させることにある。
【００６７】
このような問題を解消するためには、本発明のように、機構電気部品が部品挿入孔に挿入されるまで、部品挿入孔を通って半田付け用フラックスが複数の固定用端子部材の接触端子部の表面に沿って流れるのを抑制し、機構電気部品が挿入されたときに機構電気部品によって押し開かれる（または折り曲げられる）遮蔽部材をソケットに設ければよい。このような遮蔽部材を用いると、半田付け用フラックスが複数の固定用端子部材の接触端子部の表面に付着する可能性が少なくなる。そしてこの遮蔽部材は、機構電気部品を部品挿入孔に挿入する過程で開かれる（または折り曲げられる）ため、遮蔽部材の除去作業が不要になる。
【００６８】
（１２）  前記ソケット本体６１に設けられた前記複数の固定用端子部材の前記接触端子部６３ａ，６５ａの少なくとも一部は、前記部品挿入孔６７の内部に位置しており、
前記遮蔽部材は前記複数の固定用端子部材の前記接触端子部に向かって前記半田付け用フラックスが直接流れるのを阻止するように前記接触端子部よりも下の位置に配置されている上記（１１）に記載のソケット装着型機構電気部品ユニット。
【００６９】
本発明によれば、固定用端子部材の接触端子部にフラックスが付着するのを確実に抑制できる。
【００７０】
（１３）  前記遮蔽部材は、前記ソケット本体と一体に成形された１以上の扉状部材７７，７９からなり、
前記１以上の扉状部材は、前記機構電気部品により前記部品挿入孔から離れる方向に押し開かれたときに、前記ソケット本体から離脱しないように前記ソケット本体に連結されている上記（１２）に記載のソケット装着型機構電気部品ユニット。
【００７１】
本発明のように、遮蔽部材をソケット本体と一体に成形された１以上の扉状部材から構成すると、別部品を用意することなく簡単に遮蔽部材を設けることができる。そしてこの場合に、１以上の扉状部材は、機構電気部品により部品挿入孔から離れる方向に押し開かれたときに、ソケット本体から離脱しないようにソケット本体に連結されているのが好ましい。これは機構電気部品装着後に、遮蔽部材を廃棄する必要性が無くなるからである。
【００７２】
（１４）  前記遮蔽部材は、前記部品挿入孔６７を実質的に閉塞するように前記ソケット本体に対して固定された２枚の扉状部材７７，７９からなり、
前記２枚の扉状部材は、前記機構電気部品により前記部品挿入孔から離れる方向に押し開かれたときに、前記ソケット本体から離脱しないように前記ソケット本体に連結されている上記（１３）に記載のソケット装着型機構電気部品ユニット。
【００７３】
本発明の目的は、脱落することのない遮蔽部材を備えたソケット及び該ソケットを有するソケット装着型機構電気部品ユニットを提供することにある。
【００７４】
（１５）  前記ソケット本体に設けられた前記複数の固定用端子部材の前記接触端子部６３ａ，６５ａは、前記部品挿入孔６７の周囲を囲む複数の内壁面のうち対向する２つの内壁面に沿って配置されており、
前記２枚の扉状部材７７，７９は前記２つの内壁面の下部領域に固定されており、
また前記２枚の扉状部材７７，７９は破断容易な連結部８１で相互に連結されている上記（１４）に記載のソケット装着型機構電気部品ユニット。
【００７５】
本発明のように、遮蔽部材を部品挿入孔を実質的に閉塞するようにソケット本体に対して固定された２枚の扉状部材から構成すると、部品挿入孔を通って上昇するフラックスを最小限にすることができる。この場合に、２枚の扉状部材は相互に破断容易な連結部で連結するのが好ましい。このような連結部で２枚の扉状部材を連結しておくと、半田付け工程の前に２枚の扉状部材が下に下がってしまうのを防止できる。
【００７６】
（１６）  ハウジングの外部に露出する接触端子部を有する複数の接続用端子部材を備えた機構電気部品が装着されるソケットであって、
回路基板上に載置される絶縁樹脂製のソケット本体と、
前記接続用端子部材の前記接触端子部と接触する接触端子部及び前記回路基板に設けられた半田付けランドに半田付け接続される半田付け端子部を有して前記ソケット本体に取付けられた複数の固定用端子部材と、
前記ソケット本体に形成されて前記機構電気部品の前記ハウジングの少なくとも一部が挿入される部品挿入孔とを備え、
前記複数の固定用端子部材は、前記機構電気部品の前記ハウジングが前記部品挿入孔に嵌合された状態で、前記複数の接続用端子部材の前記接触端子部と前記複数の固定用端子部材の前記接触端子部どうしが接触するように設けられており、
前記ソケットの前記部品挿入孔は、前記機構電気部品の前記ハウジングの一部が貫通する貫通孔によって形成され、
前記ソケット本体には、前記機構電気部品が前記部品挿入孔に挿入されるまでは前記部品挿入孔を通って半田付け用フラックスが前記複数の固定用端子部材の前記接触端子部の表面に沿って流れるのを抑制し、前記機構電気部品が挿入されるときに前記機構電気部品によって押されて前記部品挿入孔から離れるように折り曲げられる遮蔽部材が一体に設けられていることを特徴とするソケット。
【００７７】
【発明の効果】
本発明によれば、ソケットを先に回路基板に半田付けするため、回路基板の裏面側に一部が突出する機構電気部品が半田付け時のに晒されることがない。したがって、機構電気部品の熱の影響による不具合の発生を回避できる。特に、ベース部材と係合部材とによって回路基板を挟む構造を採用すると、ソケットに機構電気部品を装着する際や操作部材に操作力が加わったときに、ソケットに大きな力が加わらず、ソケット本体にクラックが入ったり、半田付部に無理な力が加わるのを防止できる。
【００７８】
また導電性のベース部材を回路基板のアース電極に接触させ、導電性を有する操作部材をベース部材と電気的に接続する構造を採用すると、操作部材を通して静電気が内部の電気部品機構にまで入り込むのを防止できる。
【００７９】
更にクリック感発生機構の一部を構成するベース部材を利用して、ソケットに機構電気部品を装着する際や操作部材に操作力が加わったときにソケットに大きな力が加わるのを防止することができ、また操作部材を通して静電気が内部の電気部品機構にまで入り込むのを阻止することができる。
【図面の簡単な説明】
【図１】  本発明のソケット装着型機構電気部品ユニットの実施の形態の一例を回路基板に装着する場合の分解斜視図を示している。
【図２】  図１のユニットを回路基板に実装した状態の概略斜視図である。
【図３】  図１のユニットで用いる機構電気部品の内部構造の要部を概略的に示す断面図である。
【図４】  図３のIV−IV線断面図である。
【図５】  図１のユニットで用いる機構電気部品の回路図である。
【図６】  図１のユニットの取付態様の一例を示す断面図である。
【図７】  図１のユニットで用いるソケットの断面図である。
【図８】  図１のユニットで用いるソケットを回路基板に半田付けする場合の状態を説明するために用いる図である。
【図９】  図１のユニットで用いる機構電気部品の外観を示す図である。
【図１０】  本発明の機構電気部品の他の例の外観を示す図である。
【図１１】  本発明のソケットの他の例を示す平面図である。
【符号の説明】
１  ソケット装着型機構電気部品ユニット
３  回路基板
５  機構電気部品
７  ソケット
１３  ハウジング
１５  操作部材
２５  ベース部材
３７ｂ  係合部材
３９，４５  接続用端子部材
６３，６５  固定用端子部材
６１  ソケット本体
６７  部品挿入孔
７３  突起
７５  フック
７７，７９  扉状部材（遮蔽部材）
Ｈ  機構電気部品貫通孔
【図１】
0003717240.tif 000002
【図２】
0003717240.tif 000003
【図３】
0003717240.tif 000004
【図４】
0003717240.tif 000005
【図５】
0003717240.tif 000006
【図６】
0003717240.tif 000007
【図７】
0003717240.tif 000008
【図８】
0003717240.tif 000009
【図９】
0003717240.tif 000010
【図１０】
0003717240.tif 000011
【図１１】
0003717240.tif 000012